(57)【要約】      （修正有）【課題】トッププレートと加熱コイルとのギャップを容易に調整可能な構成の誘導加熱調理器を提供する。【解決手段】加熱コイル２は加熱コイル保持部材５に載置された絶縁板３の上に載置されている。この絶縁板３の厚みを変えることで、トッププレート１と加熱コイル２とのギャップを所定の距離に維持される構成となるので、加熱コイルユニットの設計に応じてギャップを容易に調整が可能となる。【選択図】図１
2005122964.tif 000002
【特許請求の範囲】
【請求項１】
調理容器を載置するトッププレートと、前記トッププレートの下部に配設され前記調理容器を加熱する加熱コイルと、前記加熱コイル下方に磁性体を保持するとともに、前記加熱コイルを保持する加熱コイル保持部材とを有し、前記加熱コイル保持部材に絶縁板を載置し、絶縁板の厚みでトッププレートと加熱コイルとのギャップを所定の距離に維持した誘導加熱調理器。
【請求項２】
加熱コイルと、磁性体と、加熱コイル保持部材と、絶縁板を有する加熱コイルユニットを複数個配設し、前記絶縁板の厚みによりギャップをそれぞれの加熱コイルユニットに応じて所定の距離に維持した請求項１に記載の誘導加熱調理器。
【請求項３】
厚みの異なる加熱コイルを複数個配設した請求項２に記載の誘導加熱調理器。
【請求項４】
絶縁板の枚数によりギャップを所定の距離に維持した請求項１〜３のいずれか１項に記載の誘導加熱調理器。
【請求項５】
絶縁板の載置面の加熱コイル保持部材に複数箇所凸部を設け、前記絶縁板を凸部上に載置し、ギャップを所定の距離に維持した請求項１〜４のいずれか１項に記載の誘導加熱調理器。
【請求項６】
加熱コイル保持部材とトッププレートに挟着された防振キャップの厚みでもギャップを所定の距離に維持した請求項１〜５のいずれか１項に記載の誘導加熱調理器。
【発明の詳細な説明】
【技術分野】
【０００１】
本発明は、トッププレートと加熱コイルとのギャップを容易に調整可能な誘導加熱調理器に関するものである。
【背景技術】
【０００２】
従来、この種の誘導加熱調理器は、加熱コイル保持部材の上に加熱コイルを直に載置していた（例えば、特許文献１参照）。
【０００３】
図５は、特許文献１に記載された誘導加熱調理器を示すもので、図に示すように、被加熱調理器具である鍋などを載置するトッププレート１１があり、そのトッププレート１１の下には、加熱コイル１２が加熱コイル保持部材１４の上に載置され、加熱コイル１２とトッププレート１１とのギャップはコイルホルダー１３により、規制されている。
【特許文献１】特開平９−３１２１９５号公報
【発明の開示】
【発明が解決しようとする課題】
【０００４】
しかしながら、上記従来の構成において、加熱コイル保持部材１４を共用するとトッププレート１１と加熱コイル１２とのギャップを変更することができず、筐体に応じた加熱コイルユニットの設計ができないという課題を有していた。
【０００５】
本発明は、前記従来の課題を解決するもので、加熱コイル保持部材を共用しても、トッププレートと加熱コイルとのギャップを容易に調整可能な構成とした誘導加熱調理器を提供することを目的とする。
【課題を解決するための手段】
【０００６】
前記従来の課題を解決するために、本発明の誘導加熱調理器は、調理容器を載置するトッププレートと、トッププレートの下部に配設され調理容器を加熱する加熱コイルと、加熱コイル下方に磁性体を保持するとともに、加熱コイルを保持する加熱コイル保持部材とを有し、加熱コイル保持部材に絶縁板を載置し、絶縁板の厚みでトッププレートと加熱コイルとのギャップを所定の距離に維持される構成としたものである。
【０００７】
これによって、加熱コイルユニットの設計に応じて、絶縁板の厚みを変えるだけで、ギャップを所定の距離に容易に調整できる作用を有する。
【発明の効果】
【０００８】
本発明の誘導加熱調理器は、加熱コイル保持部材を共用してもトッププレートと加熱コイルとのギャップを容易に調整できるため、加熱コイル保持部材という複雑な部品の共用化をすることができ、開発のスピード化・金型などのコストダウンを図ることができる。
【発明を実施するための最良の形態】
【０００９】
第１の発明は、調理容器を載置するトッププレートと、前記トッププレートの下部に配設され前記調理容器を加熱する加熱コイルと、前記加熱コイル下方に磁性体を保持するとともに、前記加熱コイルを保持する加熱コイル保持部材とを有し、前記加熱コイル保持部材に絶縁板を載置し、絶縁板の厚みでトッププレートと加熱コイルとのギャップを所定の距離に維持した誘導加熱調理器とすることにより、加熱コイル保持部材を共用してもトッププレートと加熱コイルとのギャップを容易に調整可能とした構成のため、加熱コイル保持部材という複雑な部品の共用化をすることができ、開発のスピード化・金型などのコストダウンを図ることができる。
【００１０】
第２の発明は、特に、第１の発明において、加熱コイルと、磁性体と、加熱コイル保持部材と、絶縁板を有する加熱コイルユニットを複数個配設し、前記絶縁板の厚みによりギャップをそれぞれの加熱コイルユニットに応じて所定の距離に維持したことにより、加熱コイルユニットを複数個配設する場合においても、加熱コイル保持部材という複雑な部品の共用化をすることができ、開発のスピード化・金型などのコストダウンを図ることができる。
【００１１】
第３の発明は、特に、第２の発明において、厚みの異なる加熱コイルを複数個配設したものでも、絶縁板の厚みによりトッププレートと加熱コイルとのギャップをそれぞれの加熱コイルユニットに応じて所定の距離に調整可能であるため、加熱コイル保持部材という複雑な部品の共用化をすることができ、開発のスピード化・金型などのコストダウンを図ることができる。
【００１２】
第４の発明は、特に、第１〜３のいずれか１つの発明において、絶縁板の枚数によりギャップを所定の距離に維持したことにより、絶縁板の枚数を考慮するだけで、加熱コイル保持部材という複雑な部品の共用化をすることができ、開発のスピード化・金型などのコストダウンを図ることができる。
【００１３】
第５の発明は、特に、第１〜４のいずれか１つの発明において、絶縁板の載置面の加熱コイル保持部材に複数箇所凸部を設け、前記絶縁板を凸部上に載置し、ギャップを所定の距離に維持したことにより、絶縁板を凸部上に載置するということで、加熱コイル保持部材という複雑な部品の共用化をすることができ、開発のスピード化・金型などのコストダウンを図ることができる。
【００１４】
第６の発明は、特に、第１〜５のいずれか１つの発明において、加熱コイル保持部材とトッププレートに挟着された防振キャップの厚みでもギャップを所定の距離に維持したことにより、絶縁板と相俟ってギャップ調整の自由度が広がる。
【００１５】
以下、本発明の実施の形態について、図面を参照しながら説明する。なお、この実施の形態によって本発明が限定されるものではない。
【００１６】
（実施の形態１）
図１は、本発明の実施の形態１における誘導加熱調理器を示すものである。
【００１７】
図に示すように、本実施の形態の誘導加熱調理器においては、調理容器６を載置するトッププレート１と、前記トッププレート１の下部に配設され前記調理容器６を加熱する加熱コイル２と、前記加熱コイル２下方に誘導加熱中に発生する加熱コイル２からの磁束漏れを抑制しているフェライト（磁性体）４を保持するとともに、前記加熱コイル２を保持する加熱コイル保持部材５とを有している。前記加熱コイル保持部材５は、トッププレート１の所定の下方位置に配置されているものである。そして、加熱コイル２はフェライト４上で加熱コイル保持部材５に載置された絶縁板３（例えば、マイカ）の上に載置されており、絶縁板３の厚みでトッププレート１と加熱コイル２とのギャップを所定の距離に維持したものである。
【００１８】
このように、絶縁板３の厚みによって、トッププレート１と加熱コイル２とのギャップを所定の距離に維持されることにより、加熱コイル保持部材５を他の誘導加熱調理器と共用してもトッププレート１と加熱コイル２とのギャップを容易に調整可能とした構成のため、加熱コイル保持部材５という複雑な部品の共用化をすることができ、開発のスピード化・金型などのコストダウンを図ることができる。
【００１９】
また、絶縁板３を耐熱性の高いシートの部材で構成すれば、信頼性を向上させることができ、加熱コイル保持部材５の材料の耐熱グレードを低くしコストダウンを図ることができる。
【００２０】
また、加熱コイル２と、フェライト４と、加熱コイル保持部材５と、絶縁板３を有する加熱コイルユニットを同一器体に複数個配設し、前記絶縁板３の厚みによりギャップをそれぞれの加熱コイルユニットに応じて所定の距離に維持することで、加熱コイルユニットを複数個配設する場合においても、加熱コイル保持部材５という複雑な部品の共用化をすることができ、開発のスピード化・金型などのコストダウンを図ることができる。
【００２１】
また、厚みの異なる加熱コイル２を複数個配設したものであっても、絶縁板の厚みによりトッププレートと加熱コイルとのギャップをそれぞれの加熱コイルユニットに応じて所定の距離に調整可能であるため、加熱コイル保持部材５という複雑な部品の共用化をすることができ、開発のスピード化・金型などのコストダウンを図ることができる。なお、加熱コイル２を固定保持するコイルホルダーを用いる場合であっても、絶縁板の厚みを変えることで、共用化しコストダウンが図れる。
【００２２】
（実施の形態２）
図２は、本発明の実施の形態２における誘導加熱調理器を示すものである。基本構成は、実施の形態１と同じであるため異なる点を中心に説明する。
【００２３】
本実施の形態においては、加熱コイル保持部材５の上に絶縁板３を複数枚載置し、その上に加熱コイル２を載置した構成としたものである。
【００２４】
この絶縁板３の枚数によって、トッププレート１と加熱コイル２とのギャップを所定の距離に維持されることにより、加熱コイル保持部材５を共用してもトッププレート１と加熱コイル２とのギャップを容易に調整可能とした構成のため、加熱コイル保持部材５という複雑な部品の共用化をすることができ、開発のスピード化・金型などのコストダウンを図ることができる。また、絶縁板の種類も１つで管理でき、組立性・サービス性も向上できる。
【００２５】
（実施の形態３）
図３は、本発明の実施の形態３における誘導加熱調理器を示すものである。基本構成は、実施の形態１と同じであるため異なる点を中心に説明する。
【００２６】
本実施の形態においては、絶縁板３の載置面の加熱コイル保持部材５に複数箇所の凸部５ａを設け、図３の（ｂ）状態から図４の（ｂ）状態になるよう絶縁板３を回転させることで凸部５ａ上に載置する構成としたものである。
【００２７】
この凸部５ａの段差でトッププレート１と加熱コイル２とのギャップを所定の距離に維持されることにより、加熱コイル保持部材５を共用してもトッププレート１と加熱コイル２とのギャップを容易に調整可能とした構成のため、加熱コイル保持部材５という複雑な部品の共用化をすることができ、開発のスピード化・金型などのコストダウンを図ることができる。
【００２８】
なお、絶縁板３は回転させるとしたが、表裏を返して取り付ける構成としてもよい。すなわち、絶縁板３を裏返すことにより、絶縁板３が凸部５ａ上に載置される形状となっているものである。
【００２９】
（実施の形態４）
図５は、本発明の実施の形態４における誘導加熱調理器を示すものである。基本構成は、実施の形態１と同じであるため異なる点を中心に説明する。
【００３０】
本実施の形態においては、加熱コイル保持部材５はトッププレート１と当接する面に防振用のキャップ７を装着している。すなわち、加熱コイル保持部材５とトッププレート１に挟着されたキャップ７の厚みでもトッププレート１と加熱コイル２とのギャップを調整可能としたものである。
【００３１】
このように、絶縁板３と共に、加熱コイル保持部材５とトッププレート１に挟着されたキャップ７の厚みでもトッププレート１と加熱コイル２とのギャップを容易に調整可能とした構成のため、ギャップ調整の自由度が広がり、加熱コイル保持部材５という複雑な部品の共用化をすることができ、開発のスピード化・金型などのコストダウンを図ることができる。
【産業上の利用可能性】
【００３２】
以上のように、本発明にかかる誘導加熱調理器は、加熱コイルとトッププレートのギャップを自由に調整可能となり、誘導加熱をする全ての機器に適用できる。
【図面の簡単な説明】
【００３３】
【図１】（ａ）本発明の実施の形態１における加熱コイルユニットの正面図（ｂ）（ａ）のＡ−Ａ線による断面図
【図２】本発明の実施の形態２における加熱コイルユニットの一部を示す断面図
【図３】（ａ）本発明の実施の形態３における加熱コイルユニットの絶縁板調整前の一部を示す正面図（ｂ）（ａ）のＢ−Ｂ線による断面図
【図４】（ａ）同実施の形態３における加熱コイルユニットの絶縁板調整後の一部を示す正面図（ｂ）（ａ）のＣ−Ｃ線による断面図
【図５】（ａ）本発明の実施の形態４における加熱コイルユニットの正面図（ｂ）（ａ）の断面図
【図６】従来例を示す誘導加熱調理器の加熱コイルユニットの断面図
【符号の説明】
【００３４】
１  トッププレート
２  加熱コイル
３  絶縁板
４  フェライト
５  加熱コイル保持部材
５ａ  凸部
６  調理容器
７  キャップ
【図１】
2005122964.tif 000003
【図２】
2005122964.tif 000004
【図３】
2005122964.tif 000005
【図４】
2005122964.tif 000006
【図５】
2005122964.tif 000007
【図６】
2005122964.tif 000008